(57)【特許請求の範囲】
【請求項１】
電線が取り付けられたブレーカが弾力性と柔軟性を有する袋状のカバーで水密に覆われ、前記ブレーカの底面にはシートが貼り付けられ、また、前記ブレーカの底面には、凸状部が設けられた底板が前記カバーの開口部を水密に封じるように前記シートを介して取り付けられ、前記ブレーカの電線は水密に前記カバー外に引出されていることを特徴とする防水ブレーカ。
【請求項２】
底板がブレーカの底面にボルト・ナットにより取付けられていることを特徴とする請求項１記載の防水ブレーカ。
【発明の詳細な説明】
【０００１】
【発明の属する技術分野】
本発明は、防水および防湿手段を施したブレーカを有し、屋外配線に使用するのに好適な防水ブレーカに関する。
【０００２】
【従来の技術】
従来、配線された電線や機器を過電流から保護するためには、ノーヒューズブレーカ、過電流による発熱で自ら溶断するヒューズを内蔵したカットアウトスイッチ（ふたの開閉で電路を開閉する）やナイフスイッチ（把手でブレードを動かして電路を開閉する）などの遮断器や開閉器が使用されている。
【０００３】
【発明が解決しようとする課題】
しかしながら、ノーヒューズブレーカは防水、防湿処理が施されておらず、また、カットアウトスイッチやナイフスイッチも構造体に隙間があり、これらの遮断器や開閉器を屋外配線（例えば街路灯のポール内）に使用すると、湿気や水分が浸入して絶縁抵抗が低下し、電気的な支障が生じるという問題があった。
本発明はかかる点に鑑みてなされたもので、ブレーカに防湿および防水手段を施した防水ブレーカを提供するものである。
【０００４】
【課題を解決するための手段】
本発明は上記問題点を解決すべくなされたもので、電線が取り付けられたブレーカが弾力性と柔軟性を有する袋状のカバーで水密に覆われ、前記ブレーカの底面にはシートが貼り付けられ、また、前記ブレーカの底面には、凸状部が設けられた底板が前記カバーの開口部を水密に封じるように前記シートを介して取り付けられ、前記ブレーカの電線は水密に前記カバー外に引出されていることを特徴とする防水ブレーカである。
【０００５】
本発明によれば、ブレーカは袋状のカバーで覆われ、前記ブレーカの底面にはシートが貼り付けられ、カバーの開口部は前記シートを介してブレーカの底面に取り付けられた凸状部が設けられた底板で水密に封じられ、ブレーカに接続された電線は、水密にカバー外に引出されている。このように、ブレーカの底面にシートを貼り付け、また、底板に凸状部を設けると、カバー周縁部とシートを過度に押しつぶすことなく、ブレーカの底面を水密、気密にシートとカバーで覆うことができる。従って、ブレーカは湿気や水分から保護されているので、屋外配線に使用しても、湿気や水分によりブレーカの絶縁抵抗が低下する恐れはない。
なお、本発明において水密とは、湿気や水分の浸入が防止された密閉状態を言う。
【０００６】
【発明の実施の形態】
以下、図面に基づいて本発明の実施の形態を詳細に説明する。
図１（ａ）〜（ｄ）はそれぞれ、本発明にかかる防水ブレーカの一実施形態の平面図、部分断面正面図、側面図及び下面図である。
本実施形態において、ブレーカ１は、図１（ｂ）に示すように、底面に上方向に向いた穴１ａを有し、該穴１ａの上端にナット２が取り付けられている。
【０００７】
３は弾力性と柔軟性を備えたからなる袋状のカバーである。カバー３は、図１（ｂ）に示すように、ブレーカ１を包み込むように覆い、袋状のカバー３の開口部の周縁部３ａは、図１（ｄ）に示すように、ブレーカ１の四辺形をした底面の周縁部と穴１ａを覆っている。
また、カバー３の厚さは、図１（ｂ）に示すように、ブレーカ１の上面を覆う部分が（レバー１ｂを動かしやすいように）比較的に薄く、ブレーカ１の側面を覆う部分が比較的に厚くなっている。そして、カバー３の厚い部分には、ブレーカ１からの電線４を水密、気密に引き出すために、内径が電線４の外径よりもやや小さい複数のリング状の溝が付いた穴３ｂが設けられている。
さらに、カバー３の周縁部３ａには、ブレーカ１の穴１ａに対応した位置に穴３ｃが設けられている。
なお、弾力性と柔軟性を備えたカバーの材料としては、天然ゴム、エラストマーなどを用いることができ、屋外に使用する場合には、耐候性を有するものがより好ましい。
【０００８】
５は弾力性と柔軟性を備え、ブレーカ１の底面と同じ大きさのシートであって、シート５はブレーカ１の底面に貼りつけられている。シート５には、ブレーカ１の穴１ａに対応する位置にボルト７が通る穴５ａが設けられている。
【０００９】
６はブレーカ１の底面に取り付けられ、ブレーカ１を街路灯のポールなどに固定するための底板である。底板６には、図１（ｂ）に示すように、ブレーカ１の穴１ａに対応する位置にボルト７が通る穴６ａが設けられている。また、底板６には、シート５に面する部分に凸状部６ｂが設けられている。凸状部６ｂの高さは、シート５とシート５に被さるカバー３の周縁部３ａの厚さを合わせた厚さよりも低くなっている。そして、底板６は、シート５とカバー３の周縁部３ａを介して、ボルト７とナット２の締めつけによりブレーカ１の底面に締結されている。
【００１０】
この状態において、底板６の凸状部６ｂはシート５を押圧し、底板６の平坦部は少なくとも凸状部６ｂの高さだけブレーカ１の底面から浮いて、カバー３の周縁部３ａとシート５を押圧している。このように押圧すると、カバー３の周縁部３ａとシート５を過度に押圧して押しつぶすことがなく、均一に、かつ適切に押圧するため、カバー３とシート５を貫通するボルト７は穴３ｃと穴５ａにおいて、弾力性のあるカバー３とシート５で適切に押圧されるので、ボルト７はカバー３とシート５を水密、気密に貫通し、ブレーカ１の底面は水密、気密にカバー３とシート５で覆われる。
【００１１】
次に、上記防水ブレーカの組立を、図２（ａ）〜（ｃ）を用いて説明する。その組立工程は以下の通りである。即ち、
１）４本の電線４を袋状のカバー３の外側から穴３ｂを通して、カバー３内に引き込み、ブレーカ１に接続する。その後、それぞれの電線４をカバー３の外側に引出し、ブレーカ１をその底面に付着させたシート５とともにカバー３の開口部３ｄからカバー３内に引き込む（図２（ａ））。
２）次いで、カバー３の周縁部３ａでブレーカ１の底面の周縁部および穴１ａを覆い、その後、底板６でブレーカ１の底面およびカバー３の周縁部３ａを覆う（図２（ｂ））。
３）その後、底板６の穴６ａよりボルト７を挿入し、ボルト７とナット２を締め付ける。その際、底板６の凸状部６ｂがシート５を押圧して、ブレーカ１の底面１ｃに当たるまでボルト７を締め付ける（図２（ｃ））。
【００１２】
本実施形態では、袋状のカバー３はブレーカ１を包むように覆い、カバー３の開口部３ｄは、ブレーカ１の底面で底板６により水密、気密に封じられており、かつ、ブレーカ１に接続された電線４は水密、気密にカバー３の穴３ｂからカバー３外に引き出されているので、ブレーカ１は湿気や水分から保護され、屋外配線に使用しても、湿気や水分により絶縁抵抗が低下する恐れはない。
【００１３】
なお、上記実施形態では、ブレーカ１の底面とカバー３の周縁部３ａの間に弾力性のあるシート５を介在させ、底板６に凸状部６ｂを設けたが、シート５と凸状部６ｂは必ずしも必要とするものではない。しかしながら、ブレーカ１の底面とカバー３の周縁部３ａの間にシート５を介在させると、ブレーカ１の底面をより水密性、気密性よく封じることができる。また、底板６に凸状部６ｂを設け、凸状部６ｂでシート５を押圧すると、ブレーカ１の底面１ｃをより一層、水密性、気密性よく封じることができる。
また、電線４がカバー３を水密、気密に貫通する手段も上記実施形態に限定されることはない。
【００１４】
【発明の効果】
以上説明したように本発明の防水ブレーカによれば、電線が取り付けられたブレーカが弾力性と柔軟性を有する袋状のカバーで水密、気密に覆われ、前記ブレーカの底面にはシートが貼り付けられ、また、前記ブレーカの底面には、凸状部が設けられた底板が前記カバーの開口部を水密に封じるように前記シートを介して取り付けられ、前記ブレーカの電線は水密、気密に前記カバー外に引出されているため、屋外配線に使用しても、絶縁抵抗の低下による電気的な支障を防ぐことができるという優れた効果がある。
【図面の簡単な説明】
【図１】（ａ）〜（ｄ）は、本発明に係る防水ブレーカの一実施形態の平面図、部分断面正面図、側面図及び下面図である。
【図２】（ａ）〜（ｃ）は、上記実施形態の組立工程の説明図である。
【符号の説明】
１              ブレーカ
１ａ、５ａ、６ａ、３ｂ、３ｃ
穴
１ｂ            レバー
１ｃ            底面
２              ナット
３              カバー
３ａ            周縁部
３ｄ            開口部
４              電線
５              シート
６              底板
６ｂ            凸状部
７              ボルト
【図１】
0003764017.tif 000002
【図２】
0003764017.tif 000003